(57)【要約】      （修正有）【課題】比較的低コストにて、温水洗浄便座装置のノズル装置の清潔性の向上を図ることができる温水洗浄便座装置を提供する。【解決手段】温水洗浄便座装置は、第二ケーシング１１ｂの底壁１１ｂ１に形成され、リリーフバルブによって排出されたリリーフ水Ｗを用いて、ノズル装置１６の先端部Ｔ１，Ｔ２の洗浄を行うノズル洗浄部を備えている。ノズル洗浄部は、リリーフ水Ｗを先端部Ｔ１，Ｔ２に沿って流通させる洗浄部４２と、リリーフ水Ｗを洗浄部４２に向かって流れるように案内する案内部４１と、を備えている。洗浄部４２は、案内部４１を流れるリリーフ水Ｗを先端部Ｔ１，Ｔ２の左側から洗浄部４２内に導入する第一導入部と、案内部４１を流れるリリーフ水Ｗを先端部Ｔ１，Ｔ２の右側から洗浄部４２内に導入する第二導入部と、先端部Ｔ１，Ｔ２を洗浄したリリーフ水Ｗを便鉢部に導出する貫通穴１１ｂ６，１１ｂ７と、を備えている。【選択図】図３
2016166452.tif 000002
【特許請求の範囲】
【請求項１】
水源から供給された洗浄水を噴出することにより人体局部の洗浄を行うノズルを有するノズル装置と、
便鉢部を有する便器に取り付けられ、便座を保持するとともに、前記ノズル装置を収納するケーシングと、
前記ケーシング内にて前記水源と前記ノズル装置との間に配設され、前記水源から供給された前記洗浄水を排出することにより、前記ノズル装置に供給される前記洗浄水の圧力を調節するリリーフバルブと、
前記ケーシングの底部に形成され、前記リリーフバルブによって排出された前記洗浄水であるリリーフ水を用いて、前記ノズルの被洗浄部の洗浄を行うノズル洗浄部と、を備えた温水洗浄便座装置であって、
前記ノズル洗浄部は、
前記リリーフ水を前記ノズルの前記被洗浄部に沿って流通させることにより、前記被洗浄部の洗浄を行う洗浄部と、
前記リリーフ水を前記洗浄部に向かって流れるように案内する案内部と、を備え、
前記洗浄部は、
前記案内部を流れる前記リリーフ水を前記被洗浄部の一方側から前記洗浄部内に導入する第一導入部と、
前記案内部を流れる前記リリーフ水を前記被洗浄部の他方側から前記洗浄部内に導入する第二導入部と、
前記洗浄部内から前記便鉢部に向けて開口し、前記被洗浄部を洗浄した前記リリーフ水を前記便鉢部に導出する導出部と、を備えている温水洗浄便座装置。
【請求項２】
前記案内部は、前記リリーフ水を前記第一導入部に前記第二導入部より先に到達させるように形成され、
前記第一導入部の流路抵抗は、前記第二導入部の流路抵抗より大きくなるように設定されている請求項１記載の温水洗浄便座装置。
【請求項３】
前記洗浄部は、前記被洗浄部を囲む側壁によって形成され、
前記第一導入部および前記第二導入部は、前記側壁に前記洗浄部内に向けて開口する開口部、および、前記側壁の上端から前記リリーフ水を前記洗浄部内に向けて越流させる堰部の少なくとも一方を有するように形成され、
前記開口部および前記堰部の大きさは、前記第一導入部の流路抵抗が前記第二導入部の流路抵抗より大きくなるように設定されている請求項２記載の温水洗浄便座装置。
【請求項４】
前記洗浄部は、前記導出部から導出される前記リリーフ水を収束させるように整流する整流部を備えている請求項１乃至請求項３の何れか一項記載の温水洗浄便座装置。
【請求項５】
前記案内部は、前記ケーシングの前記底部から上方に突出するように形成され、前記リリーフバルブから排出されたリリーフ水が直接当たる突出部を有している請求項１乃至請求項４の何れか一項記載の温水洗浄便座装置。
【発明の詳細な説明】
【技術分野】
【０００１】
本発明は、温水洗浄便座装置に関する。
【背景技術】
【０００２】
温水洗浄便座装置の一形式として、特許文献１に示されているものが知られている。特許文献１の図２に示されているように、温水洗浄便座装置は、人体局部を洗浄するための洗浄水を吐出するノズル４を進退可能に収容するシリンダ５、洗浄水を排出してノズル４に供給される洗浄水の水圧を調整するリリーフ弁７ａ、シリンダ５を配設されたベースプレート２に形成され、リリーフ弁７ａから排出された洗浄水であるリリーフ水を貯留する貯水部８、および、貯水部８からリリーフ水を放出する放水部８ｃを備えている。放水部８ｃから放出されたリリーフ水は、ノズル４およびシリンダ５の先端面に沿って流れることにより、ノズル４およびシリンダ５の先端面を洗浄する。
【先行技術文献】
【特許文献】
【０００３】
【特許文献１】特開２０１３−２２７７９４号公報
【発明の概要】
【発明が解決しようとする課題】
【０００４】
しかしながら特許文献１の温水洗浄便座装置においては、リリーフ水がシリンダ５の先端部側面に沿って流れていないため、シリンダ５の先端面に比べて、シリンダ５の先端部側面における清潔性が低下する。また、シリンダ５の先端部の側面における清潔性を向上させるために、特許文献１の図５に示す温水洗浄便座装置においては、ホースを用いてリリーフ水をシリンダ５の先端部側面に放出させている。この場合、ホースを追加する必要があるため、部品点数が多くなることにより、温水洗浄便座装置の高コスト化を招く。
【０００５】
そこで、本発明は、上述した問題を解消するためになされたもので、比較的低コストにてノズル装置の清潔性の向上を図ることを目的とする。
【課題を解決するための手段】
【０００６】
上記の課題を解決するため、請求項１に係る温水洗浄便座装置は、水源から供給された洗浄水を噴出することにより人体局部の洗浄を行うノズルを有するノズル装置と、便鉢部を有する便器に取り付けられ、便座を保持するとともに、ノズル装置を収納するケーシングと、ケーシング内にて水源とノズル装置との間に配設され、水源から供給された洗浄水を排出することにより、ノズル装置に供給される洗浄水の圧力を調節するリリーフバルブと、ケーシングの底部に形成され、リリーフバルブによって排出された洗浄水であるリリーフ水を用いて、ノズルの被洗浄部の洗浄を行うノズル洗浄部と、を備えた温水洗浄便座装置であって、ノズル洗浄部は、リリーフ水をノズルの被洗浄部に沿って流通させることにより、被洗浄部の洗浄を行う洗浄部と、リリーフ水を洗浄部に向かって流れるように案内する案内部と、を備え、洗浄部は、案内部を流れるリリーフ水を被洗浄部の一方側から洗浄部内に導入する第一導入部と、案内部を流れるリリーフ水を被洗浄部の他方側から洗浄部内に導入する第二導入部と、洗浄部内から便鉢部に向けて開口し、被洗浄部を洗浄したリリーフ水を便鉢部に導出する導出部と、を備えている。
【発明の効果】
【０００７】
これによれば、リリーフ水は、洗浄部に、ノズルの被洗浄部の一方側および他方側から導入され、ノズルの被洗浄部に沿って流通する。よって、ノズルの被洗浄部全体を確実に洗浄することができる。また、ノズル洗浄部は、ホース等の部材を用いることなくケーシングの底部に形成されているため、温水洗浄便座装置の部品点数が増加しない。したがって、従来技術の温水洗浄便座装置に比べて、低コストにてノズル装置の清潔性の向上を図ることができる。
【図面の簡単な説明】
【０００８】
【図１】本発明による温水洗浄便座装置が便器に設置されている状態を示す斜視図である。
【図２】図１に示す温水洗浄便座装置の本体部の内部を示す部分平面図である。
【図３】図２に示す本体部の内部の前端部を示す部分拡大斜視図である。
【図４】図３に示すIV−IV線に沿った本体部の内部の前端部の部分断面図である。
【図５】図２に示す洗浄ユニットの模式図である。
【図６】図２に示すリリーフバルブの軸方向断面図である。
【図７】図２に示す本体部の内部の部分平面図であり、ノズル装置を取り除いた状態を表している。
【図８】図７に示すVIII矢視によるノズル洗浄部の部分拡大矢視図である。
【図９】図７に示す突出部の拡大断面図である
【図１０】本発明に係る温水洗浄便座装置のノズル洗浄部の変形例を示す本体部の内部の部分平面図であり、ノズル装置を取り除いた状態を表している。
【発明を実施するための形態】
【０００９】
以下、本発明による温水洗浄便座装置１の一実施形態について説明する。本明細書においては説明の便宜上、図１における上側および下側をそれぞれ温水洗浄便座装置１の上方および下方とし、同じく右下側および左上側をそれぞれ温水洗浄便座装置１の前方および後方とし、同じく左下側および右上側を、それぞれ温水洗浄便座装置１の左方および右方として説明する。また、図１、図２、図４および図７には、各方向を示す矢印を示している。
【００１０】
温水洗浄便座装置１は、図１に示すように腰掛式便器２（本発明における便器に相当）に便座設置面２ａ（図４参照）上に取り付けられている。腰掛式便器２は、便鉢部２ｂを有している。温水洗浄便座装置１は、本体部１０、便座２０および便蓋３０を備えている。本体部１０は、図１および図２に示すように、ケーシング１１、人体の局部の洗浄を行う洗浄ユニット１２および温水洗浄便座装置１を統括制御する制御装置（図示なし）を備えている。
【００１１】
ケーシング１１は、中空の箱状に形成されている。ケーシング１１は、例えばポリプロピレン等の樹脂材料が用いられ、射出成型によって形成されている。ケーシング１１は、洗浄ユニット１２および制御装置が収納されている。ケーシング１１は、第一ケーシング１１ａおよび第二ケーシング１１ｂを備えている。
第一ケーシング１１ａは、本体部１０の上方を覆うとともに、底部を開放する箱状に形成されている。第一ケーシング１１ａは、便座２０および便蓋３０を回動可能に保持する。
【００１２】
第二ケーシング１１ｂは、ケーシング１１の底部を構成する。第二ケーシング１１ｂは、図２乃至図４に示すように、底壁１１ｂ１、周側壁１１ｂ２、便鉢対向壁１１ｂ３、接続壁１１ｂ４および凹部１１ｂ５を有している。底壁１１ｂ１は、便座設置面２ａに配設され、第一ケーシング１１ａの底部を塞ぐように、平面矩形の板状に形成されている。周側壁１１ｂ２は、底壁１１ｂ１の周縁の全周に亘って上方に向かって突出するように形成されている。
【００１３】
便鉢対向壁１１ｂ３は、図３および図４に示すように、便鉢部２ｂ内に対向するように、上方から下方に向かうに従って前方から後方に傾斜した断面直線状に形成されている。接続壁１１ｂ４は、便鉢対向壁１１ｂ３の下端と底壁１１ｂ１とを接続するように形成されている。接続壁１１ｂ４は、便鉢対向壁１１ｂ３の下端から後方に向かうに従って下方から上方に傾斜するように形成されている。便鉢対向壁１１ｂ３および接続壁１１ｂ４には、おしりノズル１６ｂ（後述する）が貫通する第一貫通穴１１ｂ６およびビデノズル１６ｃ（後述する）が貫通する第二貫通穴１１ｂ７が形成されている（図３、図４および図８参照）。第一貫通穴１１ｂ６および第二貫通穴１１ｂ７は、便鉢部２ｂに向かって開口するように形成されている。凹部１１ｂ５は、便鉢対向壁１１ｂ３および接続壁１１ｂ４によって、底壁１１ｂ１から下方に向かって窪むように形成された空間である。
【００１４】
洗浄ユニット１２は、第二ケーシング１１ｂに配設されている。洗浄ユニット１２は、図２および図５に示すように、給水バルブ１３、温水タンク１４、接続ホース１５およびノズル装置１６を備えている。
【００１５】
給水バルブ１３は、図５に示すように、水道配管３（本発明の水源に相当）に取り付けられた分岐水栓３ａに、洗浄水を流通させる第一流路Ｌ１を構成する給水ホース（図示なし）を介して接続されている。分岐水栓３ａは、水道配管３に流れる上水を洗浄水として給水ホース（第一流路Ｌ１）に導入するものである。給水バルブ１３は、給水ホースから導入された洗浄水を温水タンク１４に供給するものである。給水バルブ１３は、給水ホースと温水タンク１４との間の洗浄水の流路である第二流路Ｌ２を構成する。給水バルブ１３は、ストレーナ１３ａ、逆止弁１３ｂ、定流量弁１３ｃ、止水電磁弁１３ｄ、リリーフバルブ１３ｅを備えている。
【００１６】
ストレーナ１３ａは、上水に含まれるゴミ等を除去するものである。逆止弁１３ｂは、分岐水栓３ａから温水タンク１４への洗浄水の流れを許容するが、逆方向の流れを規制するものである。定流量弁１３ｃは、第二流路Ｌ２に流れる洗浄水の流量を一定に維持するものである。止水電磁弁１３ｄは、制御装置からの制御信号により、第二流路Ｌ２を開状態または閉状態にするものである。本実施形態においては、止水電磁弁１３ｄは、通常時（非制御時）に第二流路Ｌ２を閉状態にする。リリーフバルブ１３ｅは、水道配管３から供給された洗浄水を排出することにより、温水タンク１４およびノズル装置１６に供給される洗浄水の圧力を調節するものである。
【００１７】
リリーフバルブ１３ｅは、図６に示すように、円筒状に形成されたバルブケーシング１３ｅ１、弁座１３ｅ２、弁体１３ｅ３、弁体１３ｅ３を弁座１３ｅ２に向かって付勢するスプリング１３ｅ４、弁体１３ｅ３およびスプリング１３ｅ４を保持する保持部材１３ｅ５および洗浄水を排出する排出管１３ｅ６を備えている。弁座１３ｅ２および保持部材１３ｅ５は、バルブケーシング１３ｅ１に例えば圧入により固定されている。弁体１３ｅ３は、バルブケーシング１３ｅ１の軸線方向に移動可能に保持部材１３ｅ５に保持されている。第二流路Ｌ２を流れる洗浄水の圧力値が所定圧力値（例えば５０ｋＰａ）以上である場合、弁体１３ｅ３が破線にて示すように図６の右側に移動して、弁座１３ｅ２と弁体１３ｅ３とが離れることにより、排出管１３ｅ６から洗浄水がリリーフ水Ｗとして排出される（破線の矢印にて示す）。一方、第二流路Ｌ２を流れる洗浄水の圧力値が所定圧力値より小さい場合、弁座１３ｅ２と弁体１３ｅ３とが接触することにより、排出管１３ｅ６からの洗浄水の排出が規制される。
【００１８】
温水タンク１４は、供給された洗浄水を貯留するとともに、加熱するものである。温水タンク１４は、図５に示すように、タンク部１４ａ、ヒータ１４ｂおよび温度センサ１４ｃを備えている。タンク部１４ａは、内部に洗浄水を貯留するものである。タンク部１４ａは、例えばポリプロピレン等の樹脂材料によって中空の箱状に形成されている。ヒータ１４ｂは、タンク部１４ａに貯留された洗浄水を、制御装置からの制御信号に基づいて加熱するものである。ヒータ１４ｂは、例えばシーズヒータである。温度センサ１４ｃは、タンク部１４ａに貯留された洗浄水の温度を検出し、検出結果を制御装置に送信するものである。
【００１９】
接続ホース１５は、温水タンク１４とノズル装置１６とを接続し、洗浄水の流路である第三流路Ｌ３を構成するものである。接続ホース１５は、例えばニトリルゴム等にて形成された管状のホースである。なお、本実施形態においては、給水バルブ１３と温水タンク１４とは、ホース等を介さずに直接接続されている。
【００２０】
ノズル装置１６は、洗浄水を人体局部に向けて噴出することにより、人体局部の洗浄を行うものである。ノズル装置１６は、流路切替弁１６ａ、おしり洗浄を行うための洗浄水を噴出するおしりノズル１６ｂ、ビデ洗浄を行うための洗浄水を噴出するビデノズル１６ｃ、流路切替弁１６ａとおしりノズル１６ｂとを接続し、洗浄水の流路を構成する第四流路Ｌ４、および、流路切替弁１６ａとビデノズル１６ｃとを接続し、洗浄水の流路を構成する第五流路Ｌ５を備えている。流路切替弁１６ａと各ノズル１６ｂ，１６ｃとは、ホース等を介さずに直接接続されている。おしりノズル１６ｂおよびビデノズル１６ｃは、本発明のノズルに相当する。
【００２１】
流路切替弁１６ａは、接続ホース１５に接続され、接続ホース１５と第四流路Ｌ４および第五流路Ｌ５の両方とが連通していない原点位置から、接続ホース１５と第四流路Ｌ４とが連通する位置および接続ホース１５と第五流路Ｌ５とが連通する位置の一方に選択的に切り替えて、選択された流路に温水タンク１４からの洗浄水を導出するものである。また、流路切替弁１６ａは、制御装置からの制御信号に基づいて、流路面積を可変させて、流路抵抗を可変させることにより、各ノズル１６ｂ，１６ｃから噴出する洗浄水の流量を調整する。第四流路Ｌ４に導出された洗浄水は、おしりノズル１６ｂから噴出する。また、第五流路Ｌ５に導出された洗浄水は、ビデノズル１６ｃから噴出する。
【００２２】
おしりノズル１６ｂは、図２に示すように、シリンダ部１６ｂ１およびノズル部１６ｂ２を備えている。
シリンダ部１６ｂ１は、前後方向に延びる円筒状に形成され、内部にノズル部１６ｂ２を人体局部の洗浄を行う位置である洗浄位置Ｐ１と、シリンダ部１６ｂ１に収納されている位置である収納位置Ｐ２（図３および図４参照）との間を前後方向に移動可能に保持するものである。シリンダ部１６ｂ１は、第一貫通穴１１ｂ６を貫通し、シリンダ部１６ｂ１の先端面が便鉢対向壁１１ｂ３の前側面と同一面上に位置するように配設されている（図３および図４参照）。
ノズル部１６ｂ２は、前端部に洗浄水を噴出する噴出穴１６ｂ２ａが形成されている。人体局部の洗浄を行う場合、ノズル部１６ｂ２は、洗浄位置Ｐ１にて噴出穴１６ｂ２ａから洗浄水を噴出する。一方、ノズル部１６ｂ２は、図３に示すように、人体局部の洗浄を行わない場合、収納位置Ｐ２に位置する。この場合、シリンダ部１６ｂ１の先端面とノズル部１６ｂ２の先端面１６ｂ２ｂとが同一面上に位置するように、シリンダ部１６ｂ１およびノズル部１６ｂ２が形成されている（図３および図４参照）。
【００２３】
ビデノズル１６ｃは、おしりノズル１６ｂのシリンダ部１６ｂ１およびノズル部１６ｂ２と同様に、第二貫通穴１１ｂ７を貫通するように形成されたシリンダ部１６ｃ１およびノズル部１６ｃ２を備えている。ノズル部１６ｃ２には、ノズル部１６ｂ２と同様に、噴出穴１６ｃ２ａおよび先端面１６ｃ２ｂが形成されている（図２および図３参照）。また、図３および図４に示すように、おしりノズル１６ｂの先端部Ｔである第一先端部Ｔ１およびビデノズル１６ｃの先端部である第二先端部Ｔ２が、凹部１１ｂ５内に位置する。
【００２４】
制御装置は、止水電磁弁１３ｄ、温度センサ１４ｃ、ヒータ１４ｂおよび流路切替弁１６ａと、電気的に接続されている。制御装置は、温度センサ１４ｃよって検出される信号に基づいて、ヒータ１４ｂを制御して、洗浄水の温度を所定温度（例えば３９℃）に調整する。また、使用者によって操作部（図示なし）における人体局部を洗浄するためのスイッチ（図示なし）が操作され、その操作に応じた制御信号を制御装置が受信した場合、洗浄水の流量を所定流量（例えば０．４Ｌ／分）となるように、止水電磁弁１３ｄおよび流路切替弁１６ａが制御され、おしりノズル１６ｂまたはビデノズル１６ｃから洗浄水が人体局部に向けて噴出される。
【００２５】
また、温水洗浄便座装置１は、図２および図７に示すように、ノズル装置１６の被洗浄部の洗浄を行うノズル洗浄部４０を備えている。本実施形態において、ノズル装置１６の被洗浄部は、ノズル装置１６の先端部Ｔ（第一先端部Ｔ１および第二先端部Ｔ２）である。先端部Ｔは、後述する洗浄部４２に囲まれた部位である。ノズル洗浄部４０は、リリーフバルブ１３ｅから排出された洗浄水であるリリーフ水Ｗを用いて洗浄を行う。リリーフ水Ｗの流れは、図３、図７、図８および図９に矢印によって示されている。ノズル洗浄部４０は、案内部４１および洗浄部４２を備えている。
【００２６】
案内部４１は、図７に示すように、第二ケーシング１１ｂに形成され、リリーフバルブ１３ｅによって排出されたリリーフ水Ｗを洗浄部４２に向かって流れるように案内するものである。本実施形態において、リリーフバルブ１３ｅが、洗浄部４２の左側に配設されているため、案内部４１は、リリーフ水Ｗをリリーフバルブ１３ｅから右方に向かうように案内する。案内部４１は、底壁１１ｂ１、接続壁１１ｂ４および案内壁４１ａによって形成されている。案内壁４１ａは、底壁１１ｂ１、接続壁１１ｂ４から上方に向かって突出し、右方に向けて開放する平面Ｕ字状に形成されている。案内壁４１ａの内側に向けて、リリーフバルブ１３ｅの排出管１３ｅ６からリリーフ水Ｗが排出される。
【００２７】
また、案内部４１は、突出部４１ｂおよび整流側壁４１ｃをさらに備えている。
突出部４１ｂは、図８および図９に示すように、案内壁４１ａの内側にて、底壁１１ｂ１から上方に向けて突出する柱状に形成されている。また、突出部４１ｂは、排出管１３ｅ６から排出されたリリーフ水Ｗが直接当たる位置に形成されている。
整流側壁４１ｃは、案内部４１を流れるリリーフ水Ｗを整流するものである。整流側壁４１ｃは、案内壁４１ａの内側にて、底壁１１ｂ１から上方に向けて突出し、左右方向に延びるように形成されるとともに、右端部にて前方に向けて折れ曲がるように形成されている。
【００２８】
洗浄部４２は、リリーフ水Ｗを各先端部Ｔ１，Ｔ２に沿って流通させることにより、各先端部Ｔ１，Ｔ２の洗浄を行うものである。洗浄部４２は、各先端部Ｔ１，Ｔ２を囲む側壁によって形成されている。具体的には、洗浄部４２は、図７および図８に示すように、３つの開口部４２ｆ〜４２ｈを有するように五つの側壁４２ａ〜４２ｅによって区画されて形成されている。
【００２９】
第一の側壁４２ａは、第一先端部Ｔ１の左側に、便鉢対向壁１１ｂ３および周側壁１１ｂ２の前端部から後方に向かって延びるように形成されている。第一の側壁４２ａは、第一先端部Ｔ１から第一所定距離離れて形成されている。第一所定距離は、洗浄部４２を流れるリリーフ水Ｗが第一先端部Ｔ１の左側に沿って流通する距離に設定されている。また、第一の側壁４２ａは、後方にて段部４２ａ１（本発明の堰部に相当）を有している。段部４２ａ１は、案内部４１から流れ着いたリリーフ水Ｗを上端から洗浄部４２内に向けて越流させ、第一先端部Ｔ１の左側から洗浄部４２内に導入するものである。
【００３０】
第二の側壁４２ｂは、おしりノズル１６ｂとビデノズル１６ｃとの間にて、便鉢対向壁１１ｂ３および周側壁１１ｂ２の前端部から後方に向かって延びるように形成されている。第二の側壁４２ｂは、第一先端部Ｔ１から第二所定距離離れて、かつ、第二先端部Ｔ２から第三所定距離離れて形成されている。第二所定距離は、洗浄部４２を流れるリリーフ水Ｗが第一先端部Ｔ１の右側に沿って流通する距離に設定されている。第三所定距離は、洗浄部４２を流れるリリーフ水Ｗが第二先端部Ｔ２の左側に沿って流通する距離に設定されている。
【００３１】
第三の側壁４２ｃは、第二先端部Ｔ２より右側にて、便鉢対向壁１１ｂ３および周側壁１１ｂ２の前端部から後方に向かって延びるように形成されている。第三の側壁４２ｃは、第二先端部Ｔ２から第四所定距離離れて形成されている。第四所定距離は、洗浄部４２を流れるリリーフ水Ｗが第二先端部Ｔ２の右側に沿って流通する距離に設定されている。第四の側壁４２ｄは、第一貫通穴１１ｂ６の後方にて接続壁１１ｂ４から上方に突出し、左右方向に延びるように形成されている。第五の側壁４２ｅは、第二貫通穴１１ｂ７の後方にて接続壁１１ｂ４から上方に突出し、左右方向に延びるように形成されている。
【００３２】
また、洗浄部４２は、上述した五つの側壁４２ａ〜４２ｅによって、第一洗浄部Ｃ１および第二洗浄部Ｃ２に区画されている。第一洗浄部Ｃ１は、便鉢対向壁１１ｂ３、接続壁１１ｂ４、第一の側壁４２ａ、第二の側壁４２ｂおよび第四の側壁４２ｄによって形成され、第一先端部Ｔ１の洗浄が行われる空間である。また、第二洗浄部Ｃ２は、便鉢対向壁１１ｂ３、接続壁１１ｂ４、第二の側壁４２ｂ、第三の側壁４２ｃおよび第五の側壁４２ｅによって形成され、第二先端部Ｔ２の洗浄が行われる空間である。
【００３３】
第一開口部４２ｆは、第一の側壁４２ａと第四の側壁４２ｄとの間に形成されている。第一開口部４２ｆは、案内部４１を流れるリリーフ水Ｗを第一先端部Ｔ１（先端部Ｔ）の左側から第一洗浄部Ｃ１内に導入するものである。このように、第一開口部４２ｆおよび段部４２ａ１は、案内部４１を流れるリリーフ水Ｗを第一先端部Ｔ１（先端部Ｔ）の左側から第一洗浄部Ｃ１（洗浄部４２）内に導入する。以下、第一開口部４２ｆおよび段部４２ａ１を第一導入部とする。
【００３４】
第二開口部４２ｇは、第四の側壁４２ｄと第五の側壁４２ｅとの間に形成されている。第二開口部４２ｇは、案内部４１を流れるリリーフ水Ｗを第二先端部Ｔ２の後側から第二洗浄部Ｃ２内に導入するものである。第二先端部Ｔ２は、先端部Ｔの中央より右側に位置するため、第二開口部４２ｇは、案内部４１を流れるリリーフ水Ｗを先端部Ｔの右側から第二洗浄部Ｃ２内に導入する。
【００３５】
第三開口部４２ｈは、第五の側壁４２ｅと第三の側壁４２ｃとの間に形成されている。第三開口部４２ｈは、案内部４１を流れるリリーフ水Ｗを第二先端部Ｔ２（先端部Ｔ）の右側から第二洗浄部Ｃ２内に導入するものである。このように、第二開口部４２ｇおよび第三開口部４２ｈは、案内部４１を流れるリリーフ水Ｗを先端部Ｔの右側から第二洗浄部Ｃ２（洗浄部４２）内に導入する。以下、第二開口部４２ｇおよび第三開口部４２ｈを第二導入部とする。また、第一開口部４２ｆ、第二開口部４２ｇおよび第三開口部４２ｈは、本発明の開口部に相当する。
【００３６】
第一導入部は、第二導入部より案内部４１側（左側）に形成されているため、案内部４１を流れるリリーフ水Ｗは、第一導入部に第二導入部より先に到達する。また、第一導入部から第一洗浄部Ｃ１に導入されるリリーフ水Ｗの流量と、第二導入部から第二洗浄部Ｃ２に導入されるリリーフ水Ｗの流量とが、およそ同一の流量となるように、第一導入部の流路抵抗は、第二導入部の流路抵抗より大きくなるように設定されている。
【００３７】
各導入部の流路抵抗の設定について説明する。各導入部それぞれの流路抵抗を合わせた流路抵抗は、リリーフ水Ｗの流量に基づいて導出される。また、本実施形態においては、リリーフバルブ１３ｅと第一導入部との距離より、リリーフバルブ１３ｅと第二導入部との距離の方が長いため、第二導入部に流れ着いたリリーフ水Ｗの圧力損失は、第一導入部に流れ着いたリリーフ水Ｗの圧力損失より大きくなる。よって、第一導入部の流路抵抗と第二導入部の流路抵抗とを同じにした場合には、この圧力損失の差分により、第二導入部から第二洗浄部Ｃ２に導入されるリリーフ水Ｗの流量が、第一導入部から第一洗浄部Ｃ１に導入されるリリーフ水Ｗの流量より少なくなる。したがって、この圧力損失の差分に基づいて、第一導入部と第二導入部との流路抵抗の差分が導出される。そして、この流路抵抗の差分および上述した各導入部それぞれの流路抵抗を合わせた流路抵抗から、第一導入部の流路抵抗が大きくなるように、各導入部それぞれの流路抵抗が設定される。各導入部の流路抵抗は、各開口部４２ｆ，４２ｇ，４２ｈの大きさ、並びに、段部４２ａ１の高さおよび幅が調整されることにより定められている。また、各導入部の流路抵抗は、実験等により流量等が実測されることにより確認されている。
【００３８】
さらに、第一開口部４２ｆの大きさ、段部４２ａ１の高さは、段部４２ａ１および第一開口部４２ｆから洗浄部４２に導入するリリーフ水Ｗが、後方から前方に向かうに従って、左方から右方に向かう方向Ｄ１に流れるように設定されている。
【００３９】
また、第二開口部４２ｇから第二洗浄部Ｃ２に導入されるリリーフ水Ｗの流量より、第三開口部４２ｈから第二洗浄部Ｃ２に導入されるリリーフ水Ｗの流量が多くなるように、第二開口部４２ｇの流路抵抗を第三開口部４２ｈの流路抵抗より大きくするように設定されている。具体的には、第二開口部４２ｇの大きさが、第三開口部４２ｈの大きさより小さくなるように設定されている。
【００４０】
また、洗浄部４２には、三つの整流壁４２ｉ〜４２ｋがさらに形成されている。整流壁４２ｉ〜４２ｋは、洗浄部４２を流れるリリーフ水Ｗを整流するものである。第一の整流壁４２ｉは、第一の側壁４２ａと第一貫通穴１１ｂ６との間にて、便鉢対向壁１１ｂ３から後方に向かって延びるように形成されている。第二の整流壁４２ｊは、第三の側壁４２ｃと第二貫通穴１１ｂ７との間にて、便鉢対向壁１１ｂ３から後方に向かって延びるように形成されている。また、整流壁４２ｉ，４２ｊの上端は、側壁４２ａ，４２ｂ，４２ｃの上端より下方に位置するように設定されている。整流壁４２ｉ，４２ｊは、リリーフ水Ｗを先端部Ｔに沿わせるように整流する。
【００４１】
第三の整流壁４２ｋは、接続壁１１ｂ４および底壁１１ｂ１から上方に突出し、第三の側壁４２ｃの後端部から後方に向かうに従って、左方から右方に傾斜して延びるように形成されている。すなわち、第三の整流壁４２ｋを沿って流れるリリーフ水Ｗは、後方から前方に向かうに従って右方から左方に向かう方向に流れる。
【００４２】
また、第一貫通穴１１ｂ６および第二貫通穴１１ｂ７は、先端部Ｔを洗浄したリリーフ水Ｗを便鉢部２ｂに排出するものである。第一貫通穴１１ｂ６および第二貫通穴１１ｂ７は、本発明の導出部に相当する。
【００４３】
次に、ノズル洗浄部４０が行うノズル装置１６の先端部Ｔの洗浄を、リリーフ水Ｗの流れに沿って説明する。例えば使用者によって操作部における先端部Ｔの洗浄を開始させるスイッチ（図示なし）が操作され、その操作に応じた制御信号を制御装置が受信した場合、ノズル装置１６の先端部Ｔの洗浄が開始される。具体的には、制御装置は、流路切替弁１６ａを原点位置にして、止水電磁弁１３ｄによって第二流路Ｌ２を開状態にする。これにより、第二流路Ｌ２に洗浄水が供給され、第二流路Ｌ２内の洗浄水の圧力値が所定圧力値以上となるため、リリーフバルブ１３ｅの排出管１３ｅ６からリリーフ水Ｗが排出される。
【００４４】
リリーフバルブ１３ｅから排出されたリリーフ水Ｗは、図９に示すように、突出部４１ｂに直接当たる。これにより、リリーフ水Ｗの流速が抑制されるとともに、リリーフ水Ｗの流れが分散される（図７乃至図９参照）。このとき、リリーフ水Ｗの流れが乱れることにより、空気がリリーフ水Ｗに混入し、リリーフ水Ｗは、気泡を含んだ状態なる。そして、リリーフ水Ｗは、図７および図８に示すように、案内部４１を洗浄部４２に向かって右方に流れ、凹部１１ｂ５に流入する。
【００４５】
凹部１１ｂ５に流入したリリーフ水Ｗは、第一の側壁４２ａに堰き止められる流れと、第一の側壁４２ａに堰き止められずにさらに右方に向かって流れとに分かれる。第一の側壁４２ａに堰き止められたリリーフ水Ｗは、段部４２ａ１を越流して第一洗浄部Ｃ１に導入される流れ（破線にて示す）と、第一の側壁４２ａの後方に回り込んで、さらに右方に流れる流れに分かれる。第一の側壁４２ａからさらに右方に流れたリリーフ水Ｗは、第一開口部４２ｆから第一洗浄部Ｃ１に導入される流れと、第四の側壁４２ｄの後方からさらに右方に向かって流れる流れに分かれる。
【００４６】
第一開口部４２ｆから第一洗浄部Ｃ１に導入したリリーフ水Ｗは、段部４２ａ１から洗浄部４２に導入したリリーフ水Ｗと合流し、方向Ｄ１に流れる。さらに、第一洗浄部Ｃ１に導入したリリーフ水Ｗは、側壁４２ａ，４２ｂおよび第一の整流壁４２ｉによって第一先端部Ｔ１の形状に沿って流通する。これにより、第一先端部Ｔ１がリリーフ水Ｗによって洗浄される。そして、第一先端部Ｔ１を洗浄したリリーフ水Ｗは、第一貫通穴１１ｂ６から便鉢部２ｂに導出される。このとき、第一洗浄部Ｃ１に導入されたリリーフ水Ｗは、方向Ｄ１に方向付けられているため、第一貫通穴１１ｂ６から導出されたリリーフ水Ｗが、上方から下方に向かうに従って、左方から右方に向かう方向Ｄ２に整流される（図３参照）。
【００４７】
第四の側壁４２ｄの後方からさらに右方に向かって流れたリリーフ水Ｗの一部は、第二開口部４２ｇから第二洗浄部Ｃ２に、後方から前方に向かうに従って、左方から右方に向かうように導入される。また、第二開口部４２ｇから第二洗浄部Ｃ２に導入されなかったリリーフ水Ｗは、第三の整流壁４２ｋによって整流され、第三開口部４２ｈから第二洗浄部Ｃ２に導入される。そして、第二開口部４２ｇから導入されたリリーフ水Ｗと第三開口部４２ｈから導入されたリリーフ水Ｗが第二洗浄部Ｃ２内にて合流する。
【００４８】
上述したように、第三開口部４２ｈから第二洗浄部Ｃ２に導入されるリリーフ水Ｗの流量が、第二開口部４２ｇから第二洗浄部Ｃ２に導入されるリリーフ水Ｗの流量より多いため、第二洗浄部Ｃ２を流れるリリーフ水Ｗは、第三開口部４２ｈから導入された方向（第三の整流壁４２ｋに整流された方向）に方向付けられて、後方から前方に向かうに従って、右方から左方に向かう方向Ｄ３に流れる。さらに、第二洗浄部Ｃ２を流れるリリーフ水Ｗは、第二の側壁４２ｂ、第三の側壁４２ｃおよび第二の整流壁４２ｊによって第二先端部Ｔ２の形状に沿って流通する。これにより、第二先端部Ｔ２がリリーフ水Ｗによって洗浄される。
【００４９】
そして、第二先端部Ｔ２を洗浄したリリーフ水Ｗは、第二貫通穴１１ｂ７から便鉢部２ｂに導出される。このとき、第二洗浄部Ｃ２に導入されたリリーフ水Ｗは、方向Ｄ３に方向付けされているため、第二貫通穴１１ｂ７から導出されたリリーフ水Ｗが、上方から下方に向かうに従って、右方から左方に向かう方向Ｄ４に整流される（図３参照）。一方、第一貫通穴１１ｂ６から導出されたリリーフ水Ｗが方向Ｄ２に整流されているため、第二貫通穴１１ｂ７から導出されたリリーフ水Ｗと第一貫通穴１１ｂ６から導出されたリリーフ水Ｗとが合流して収束する。さらに、各洗浄部Ｃ１，Ｃ２それぞれに導入されたリリーフ水Ｗの流量が同じであるため、各貫通穴１１ｂ６，１１ｂ７それぞれから導出されるリリーフ水Ｗの流量も同じである。よって、各貫通穴１１ｂ６，１１ｂ７から導出されて収束したリリーフ水Ｗは、下方に向かって便鉢部２ｂ内に流入する。
【００５０】
このように、各貫通穴１１ｂ６，１１ｂ７から導出されたリリーフ水Ｗが収束するように、リリーフ水Ｗが整流されている。このリリーフ水Ｗの整流は、上述したように、段部４２ａ１、第三の整流壁４２ｋおよび各開口部４２ｆ，４２ｇ，４２ｈによって行われている。段部４２ａ１、第三の整流壁４２ｋおよび各開口部４２ｆ，４２ｇ，４２ｈは、本発明の整流部に相当する。
【００５１】
ノズル洗浄部４０によるノズル装置１６の先端部Ｔの洗浄を開始してから所定時間（例えば６秒）が経過した場合、制御装置は、止水電磁弁１３ｄによって第二流路Ｌ２を閉状態にする。これにより、第二流路Ｌ２への洗浄水の供給が停止して、第二流路Ｌ２内の洗浄水の圧力値が所定圧力値より小さくなるため、リリーフバルブ１３ｅによるリリーフ水Ｗの排出が停止する。そして、ノズル洗浄部４０によるノズル装置１６の先端部Ｔの洗浄が終了する。
【００５２】
本実施形態によれば、温水洗浄便座装置１は、水道配管３から供給された洗浄水を噴出することにより人体局部の洗浄を行うノズル１６ｂ，１６ｃを有するノズル装置１６と、便鉢部２ｂを有する腰掛式便器２に取り付けられ、便座２０を保持するとともに、ノズル装置１６を収納するケーシング１１と、ケーシング１１内にて水道配管３とノズル装置１６との間に配設され、水道配管３から供給された洗浄水を排出することにより、ノズル装置１６に供給される洗浄水の圧力を調節するリリーフバルブ１３ｅと、第二ケーシング１１ｂの底壁１１ｂ１に形成され、リリーフバルブ１３ｅによって排出された洗浄水であるリリーフ水Ｗを用いて、ノズル１６ｂ，１６ｃの先端部Ｔの洗浄を行うノズル洗浄部４０と、を備えている。ノズル洗浄部４０は、リリーフ水Ｗをノズル１６ｂ，１６ｃの先端部Ｔに沿って流通させることにより、先端部Ｔの洗浄を行う洗浄部４２（洗浄部Ｃ１，Ｃ２）と、リリーフ水Ｗを洗浄部Ｃ１，Ｃ２に向かって流れるように案内する案内部４１と、を備えている。洗浄部４２は、案内部４１を流れるリリーフ水Ｗを先端部Ｔの左側から第一洗浄部Ｃ１内に導入する第一導入部と、案内部４１を流れるリリーフ水Ｗを先端部Ｔの右側から第二洗浄部Ｃ２内に導入する第二導入部と、洗浄部Ｃ１，Ｃ２内から便鉢部２ｂに向けて開口し、先端部Ｔを洗浄したリリーフ水Ｗを便鉢部２ｂに導出する貫通穴１１ｂ６，１１ｂ７と、を備えている。
これによれば、リリーフ水Ｗは、洗浄部Ｃ１，Ｃ２に、ノズル１６ｂ，１６ｃの先端部Ｔの左側および先端部Ｔの右側から導入され、ノズル１６ｂ，１６ｃの先端部Ｔに沿って流通する。よって、ノズル１６ｂ，１６ｃの先端部Ｔ全体を確実に洗浄することができる。また、ノズル洗浄部４０は、ホース等の部材を用いることなくケーシング１１の底部に形成されているため、温水洗浄便座装置１の部品点数が増加しない。したがって、従来技術の温水洗浄便座装置に比べて、低コストにてノズル装置１６の清潔性の向上を図ることができる。
【００５３】
また、案内部４１は、リリーフ水Ｗを第一導入部に第二導入部より先に到達させるように形成され、第一導入部の流路抵抗は、第二導入部の流路抵抗より大きくなるように設定されている。
これによれば、本実施形態のように、リリーフバルブ１３ｅが洗浄部Ｃ１，Ｃ２に対して左側に配設されている場合において、リリーフ水Ｗが、案内部４１によって第一導入部に第二導入部より先に到達する。この場合、上述したように第二導入部から導入されるリリーフ水Ｗの流量が、第一導入部から導入されるリリーフ水Ｗの流量より少なくなることにより、第二先端部Ｔ２を十分に洗浄できないときがある。これに対し、第一導入部の流路抵抗が、第二導入部の流路抵抗より大きくなるように設定されているため、第二導入部から導入されるリリーフ水Ｗの流量と、第一導入部から導入されるリリーフ水Ｗの流量とを、およそ同一の流量に調節することができる。これにより、先端部Ｔ全体をより確実に洗浄することができる。
【００５４】
また、洗浄部Ｃ１，Ｃ２は、先端部Ｔ１，Ｔ２を囲む側壁４２ａ〜４２ｅによって形成され、第一導入部は、側壁４２ａ〜４２ｅに第一洗浄部Ｃ１に向けて開口する第一開口部４２ｆ、および、第一の側壁４２ａの上端からリリーフ水Ｗを第一洗浄部Ｃ１に向けて越流させる段部４２ａ１を有し、第二導入部は、側壁４２ａ〜４２ｅに第二洗浄部Ｃ２に向けて開口する第二開口部４２ｇおよび第三開口部４２ｈを有するように形成され、開口部４２ｆ〜４２ｈおよび段部４２ａ１の大きさは、第一導入部の流路抵抗が第二導入部の流路抵抗より大きくなるように設定されている。
これによれば、各導入部の流路抵抗を開口部４２ｆ〜４２ｈおよび段部４２ａ１の高さおよび幅を調整することにより、各導入部それぞれの流路抵抗を簡便に設定することができる。
【００５５】
また、洗浄部Ｃ１，Ｃ２は、貫通穴１１ｂ６，１１ｂ７から導出されるリリーフ水Ｗを収束させるように整流する段部４２ａ１、第三の整流壁４２ｋおよび各開口部４２ｆ，４２ｇ，４２ｈを備えている。
これによれば、段部４２ａ１、第三の整流壁４２ｋおよび各開口部４２ｆ，４２ｇ，４２ｈによって、貫通穴１１ｂ６，１１ｂ７から導出されるリリーフ水Ｗが収束するように整流されるため、リリーフ水Ｗが飛散せずに下方に向けて便鉢部２ｂに導出される。よって、先端部Ｔ１，Ｔ２を洗浄したリリーフ水Ｗが便鉢部２ｂの開口部周縁に付着することを抑制することができる。これにより、便鉢部２ｂが汚れることを抑制することができる。
【００５６】
また、案内部４１は、第二ケーシング１１ｂの底壁１１ｂ１から上方に突出するように形成され、リリーフバルブ１３ｅから排出されたリリーフ水Ｗが直接当たる突出部４１ｂを有している。
これによれば、リリーフバルブ１３ｅから排出されたリリーフ水Ｗが突出部４１ｂに直接当たる。よって、リリーフ水Ｗの流速を遅くすることができるため、リリーフ水Ｗの案内を簡便な形状によって行うことができる。例えば、案内壁４１ａの高さを低くすることができる。また、リリーフ水Ｗが突出部４１ｂに直接当たることにより、リリーフ水Ｗに泡沫を含ませることができる。この泡沫により、先端部Ｔ１，Ｔ２に付着した汚れをより多く洗い流すことができる。
【００５７】
なお、上述した実施形態において、温水洗浄便座装置の一例を示したが、本発明はこれに限定されず、他の構成を採用することもできる。例えば、第二導入部は、第二開口部４２ｇおよび第三開口部４２ｈによって形成されているが、これに代えて、第二導入部を第三開口部４２ｈのみによって形成するようにしても良い。また、第二導入部がリリーフ水Ｗを越流させる堰部を有するようにしても良い。例えば、第五の側壁４２ｅがリリーフ水Ｗを越流し、第二洗浄部Ｃ２に導入させるようにしても良い。
【００５８】
また、上述した実施形態において、第一導入部は、第一開口部４２ｆおよび段部４２ａ１によって構成されているが、これに代えて、第一導入部を第一開口部４２ｆおよび段部４２ａ１の一方によって形成するようにしても良い。
また、上述した実施形態において、リリーフバルブ１３ｅは、ノズル装置１６より左側に配設されているが、これに代えて、リリーフバルブ１３ｅを、ノズル装置１６より右側に配設するようにしても良い。この場合、第一導入部を先端部Ｔの右側に形成するとともに、第二導入部を先端部Ｔの左側に形成する。
【００５９】
また、上述した実施形態において、ノズル装置１６は、おしりノズル１６ｂおよびビデノズル１６ｃの２本のノズルによって構成されているが、これに代えて、ノズル装置１６を１本のノズルによって構成するようにしても良い。この場合、図１０に示すように、洗浄部４２は、１つの第三洗浄部Ｃ３によって構成される。第三洗浄部Ｃ３は、第一の側壁４２ａに相当する側壁１４２ａ、第三の側壁４２ｃに相当する側壁１４２ｃおよび第四の側壁４２ｄに相当する側壁１４２ｄによって形成される。また、整流壁４２ｋに相当する整流壁１４２ｋが設けられている。さらに、側壁１４２ａと側壁１４２ｄとの間には、第一開口部４２ｆに相当する開口部１４２ｆが設けられ、側壁１４２ｄと側壁１４２ｃとの間には、第三開口部４２ｈに相当する開口部１４２ｈが設けられる。さらに、第三洗浄部Ｃ３から便鉢部２ｂに排出されるリリーフ水Ｗを導出する貫通穴においては、一つの貫通穴１１ｂ８によって構成される。
【００６０】
また、上述した実施形態において、突出部４１ｂは一つであるが、これに代えて、図１０に示すように、複数の突出部１４１ｂを形成するようにしても良い。これによれば、突出部４１ｂが一つである場合に比べて、リリーフ水Ｗに泡沫を多く含ませることができる。よって、先端部Ｔの汚れをより多く洗い流すことができる。
また、上述した実施形態において、先端部Ｔの洗浄は、各ノズル１６ｂ２，１６ｃ２が収納位置Ｐ２に位置する場合に行われているが、これに代えて、例えば人体局部の洗浄が行われている場合において、各ノズル１６ｂ２，１６ｃ２が収納位置Ｐ２以外の位置に位置するときにおいても、先端部Ｔの洗浄が行われるようにしても良い。
また、本発明の要旨を逸脱しない範囲において、案内壁４１ａの形状、各側壁４２ａ〜４２ｅの形状および個数等変更しても良い。
【符号の説明】
【００６１】
１…温水洗浄便座装置、２…腰掛式便器（便器）、２ｂ…便鉢部、３…水道配管（水源）、１０…本体部、１１…ケーシング、１１ｂ…第二ケーシング、１１ｂ１…底壁、１１ｂ２…周側壁、１１ｂ３…便鉢対向壁、１１ｂ４…接続壁、１１ｂ５…凹部、１１ｂ６…第一貫通穴（導出部）、１１ｂ７…第二貫通穴（導出部）、１３…給水バルブ、１３ｅ…リリーフバルブ、１４…温水タンク、１５…接続ホース、１６…ノズル装置、１６ｂ…おしりノズル（ノズル）、１６ｃ…ビデノズル（ノズル）、２０…便座、４０…ノズル洗浄部、４１…案内部、４１ａ…案内壁、４１ｂ…突出部、４１ｃ…整流側壁、４２…洗浄部、４２ａ，４２ｂ，４２ｃ，４２ｄ，４２ｅ…側壁、４２ａ１…段部（堰部，第一導入部，整流部）、４２ｆ…第一開口部（開口部，第一導入部，整流部）、４２ｇ…第二開口部（開口部，第二導入部，整流部）、４２ｈ…第三開口部（開口部，第二導入部，整流部）、４２ｉ，４２ｊ…整流壁、４２ｋ…整流壁（整流部）、Ｃ１…第一洗浄部、Ｃ２…第二洗浄部、Ｔ…先端部（被洗浄部）、Ｔ１…第一先端部、Ｔ２…第二先端部、Ｗ…リリーフ水。
【図１】
2016166452.tif 000003
【図２】
2016166452.tif 000004
【図３】
2016166452.tif 000005
【図４】
2016166452.tif 000006
【図５】
2016166452.tif 000007
【図６】
2016166452.tif 000008
【図７】
2016166452.tif 000009
【図８】
2016166452.tif 000010
【図９】
2016166452.tif 000011
【図１０】
2016166452.tif 000012